(57)【要約】【課題】作業性の向上及び部品点数の削減を図るとともに無駄を省いてコスト削減を図ることが可能であり、また、収納後におけるリード端子の状態確認を容易にすることが可能であり、さらには、リード端子の変形をし難くすることが可能なコネクタ用梱包トレイを提供する。【解決手段】コネクタ用梱包トレイ１におけるコネクタ収納部２１は、収納する光コネクタ２毎に、リード端子収納部２７と、嵌合間口閉塞部２８とを有している。光コネクタ２をコネクタ収納部２１の対応する位置に収納すると、光コネクタ２の嵌合間口７が嵌合間口閉塞部２８により塞がれる。また、光コネクタ２のリードフレーム１５等がリード端子収納部２７に収納される。【選択図】図１
2011240944.tif 000002
【特許請求の範囲】
【請求項１】
コネクタ収納部を有し、該コネクタ収納部に一又は複数のコネクタを収納するコネクタ用梱包トレイにおいて、
コネクタハウジングから突出するリード端子を収納するリード端子収納部を前記コネクタ収納部の開口側に形成するとともに、前記リード端子収納部よりもコネクタ収納方向奥側に前記コネクタの嵌合間口を塞ぐ凸状の嵌合間口閉塞部を形成する
ことを特徴とするコネクタ用梱包トレイ。
【請求項２】
請求項１に記載のコネクタ用梱包トレイにおいて、
前記嵌合間口に連続するガイド凸部及び／又はガイド凹部を案内しつつ係合するガイド係合部を前記嵌合間口閉塞部に形成する
ことを特徴とするコネクタ用梱包トレイ。
【発明の詳細な説明】
【技術分野】
【０００１】
本発明は、コネクタ収納部を有し、このコネクタ収納部に一又は複数のコネクタを収納するコネクタ用梱包トレイに関する。
【背景技術】
【０００２】
コネクタの中には、コネクタハウジングから例えばＬ字状のリード端子が突出するものがあり、このようなコネクタを搬送する際には、リード端子が外力により変形・破損してしまわないようにするためとして、コネクタ用梱包トレイが用いられている（例えば下記特許文献１参照）。
【０００３】
リード端子を有するコネクタとしては、プリント基板に実装される電気コネクタや光コネクタ、或いはハイブリッドコネクタ（電気コネクタと光コネクタとを一体化させたもの）が知られている。これらのうち光コネクタやハイブリッドコネクタは、埃等を嫌う光学部品を構成に含んでいることから、例えば使用時まで防塵キャップ（保護キャップ）で覆われるようになっている（例えば下記特許文献２参照）。
【先行技術文献】
【特許文献】
【０００４】
【特許文献１】実開平６−１２８６号公報
【特許文献２】特開２００２−２３００９号公報
【発明の概要】
【発明が解決しようとする課題】
【０００５】
例えば光コネクタやハイブリッドコネクタを搬送する場合、先ず防塵キャップで所定部分を覆い、次にコネクタ用梱包トレイのコネクタ収納部に収納する作業を行う必要がある。従って、数多くのコネクタを搬送することを考えると、防塵キャップを用いることは作業性が良いとは言えないことが分かる。尚、防塵キャップは通常、使用時に取り外され、この後に廃棄されてしまうことから、無駄な部品であるとも言える。
【０００６】
ところでリード端子にあっては、コネクタ収納部の奥位置まで収納されてしまうと、この収納状態を目視により確認することは困難になる。また、奥位置に収納される途中において引っ掛かりが生じてしまうと、変形・破損に繋がる虞がある。
【０００７】
本発明は、上記した事情に鑑みてなされたもので、作業性の向上及び部品点数の削減を図るとともに無駄を省いてコスト削減を図ることが可能であり、また、収納後におけるリード端子の状態確認を容易にすることが可能であり、さらには、リード端子の変形をし難くすることが可能なコネクタ用梱包トレイを提供することを課題とする。
【課題を解決するための手段】
【０００８】
上記課題を解決するためになされた請求項１記載の本発明のコネクタ用梱包トレイは、コネクタ収納部を有し、該コネクタ収納部に一又は複数のコネクタを収納するコネクタ用梱包トレイにおいて、コネクタハウジングから突出するリード端子を収納するリード端子収納部を前記コネクタ収納部の開口側に形成するとともに、前記リード端子収納部よりもコネクタ収納方向奥側に前記コネクタの嵌合間口を塞ぐ凸状の嵌合間口閉塞部を形成することを特徴とする。
【０００９】
このような特徴を有する本発明によれば、コネクタ収納部にコネクタを収納すると、コネクタの嵌合間口が凸状の嵌合間口閉塞部により塞がれる。また、コネクタのリード端子がリード端子収納部に収納される。コネクタ収納部において、嵌合間口閉塞部はコネクタ収納方向奥側に配置形成され、リード端子収納部はコネクタ収納方向手前側に配置形成される。
【００１０】
請求項２記載の本発明のコネクタ用梱包トレイは、請求項１に記載のコネクタ用梱包トレイにおいて、前記嵌合間口に連続するガイド凸部及び／又はガイド凹部を案内しつつ係合するガイド係合部を前記嵌合間口閉塞部に形成することを特徴とする。
【００１１】
このような特徴を有する本発明によれば、コネクタの嵌合間口が嵌合間口閉塞部により塞がれる過程で、嵌合間口に連続するガイド凸部及び／又はガイド凹部がガイド係合部に案内されつつ係合する。
【発明の効果】
【００１２】
請求項１に記載された本発明によれば、嵌合間口閉塞部を有しており、コネクタを収納すると、このコネクタの嵌合間口が嵌合間口閉塞部により塞がれることから、従来のような防塵キャップ（保護キャップ）を用いる必要がなく、結果、作業性の向上及び部品点数の削減を図るとともに無駄を省いてコスト削減を図ることができるという効果を奏する。また、本発明によれば、リード端子収納部をコネクタ収納部の開口側に配置していることから、コネクタ収納後におけるリード端子の状態確認を容易に行うことができるとともに、リード端子の変形をし難くすることができるという効果を奏する。
【００１３】
請求項２に記載された本発明によれば、収納後のガタ付きを防止することができるとともに、収納方向の間違いをなくすことができるという効果を奏する。
【図面の簡単な説明】
【００１４】
【図１】本発明のコネクタ用梱包トレイを示す図であり、（ａ）は全体斜視図、（ｂ）は要部拡大斜視図、（ｃ）はコネクタ収納状態の拡大斜視図である。
【図２】図１のコネクタの図であり、（ａ）は斜視図、（ｂ）は嵌合間口側から見た正面図である。
【図３】ガイド係合部を図１のＡ視方向から見る図であり、（ａ）はコネクタ収納前の図（一部断面を含む）、（ｂ）はコネクタ収納後の図（一部断面を含む）である。
【図４】ガイド係合部を図１のＢ視方向から見る図であり、（ａ）はコネクタ収納前の図（一部断面を含む）、（ｂ）はコネクタ収納後の図（一部断面を含む）である。
【発明を実施するための形態】
【００１５】
コネクタ用梱包トレイは、コネクタ収納部に一又は複数のコネクタを収納するものであり、コネクタ収納部の開口側にリード端子収納部を形成することによりなる。また、リード端子収納部よりもコネクタ収納方向奥側に凸状の嵌合間口閉塞部を形成することによりなる。
【実施例】
【００１６】
以下、図面を参照しながら実施例を説明する。図１は本発明のコネクタ用梱包トレイを示す図である。また、図２は図１のコネクタを示す図である。さらに、図３及び図４は図１のガイド係合部を示す図である。
【００１７】
図１において、引用符号１は本発明のコネクタ用梱包トレイを示している。コネクタ用梱包トレイ１は、プリント基板に実装されるコネクタ（ＰＣＢコネクタ）を例えば基板組み立て現場まで数多く搬送するためのものであって、特に限定するものでないが、ここでは絶縁性を有する合成樹脂の射出成形により形成されている。コネクタ用梱包トレイ１は、これと同じものを重ね合わせることができるようになっている。
【００１８】
先ず上記ＰＣＢコネクタの構成及び構造について説明をし、次にコネクタ用梱包トレイ１の構造について説明をするものとする。
【００１９】
ＰＣＢコネクタは、上記の如くプリント基板に実装されるコネクタであって、ここでは光コネクタ２を一例に挙げるものとする（電気コネクタやハイブリッドコネクタであってもよいものとする）。
【００２０】
図１及び図２において、光コネクタ２は、光コネクタハウジング３と、光学部品としての二つのＦＯＴ（Fiber Optic Transceiver ）４及びスリーブ５と、シールドケース６とを備えて構成されている。光コネクタ２は、レセプタクルタイプのものであって、図示しないプラグタイプの相手側光コネクタと機械的に嵌合するとともに、この嵌合に伴って光学的な接続が完了するようになっている。
【００２１】
光コネクタハウジング３は、絶縁性を有する合成樹脂の射出成形により略箱状となる形状に形成されている。光コネクタハウジング３の前側には、上記相手側光コネクタとの嵌合開始部分となる嵌合間口７が開口形成されている。この嵌合間口７には、ガイド凸部８及びガイド凹部９が奥側へ向けて真っ直ぐ延びるように連成されている。ガイド凹部９の中間には、上記相手側光コネクタとの嵌合を行うロック部１０が形成されている。引用符号１１は嵌合空間を示している。
【００２２】
光コネクタハウジング３の後側には、ＦＯＴ収容室（図示省略）が形成されている。このＦＯＴ収容室は、対応するＦＯＴ４をそれぞれ収容することができるように形成されている。光コネクタハウジング３には、ＦＯＴ収容室と嵌合空間１１とを連通するようにスリーブ保持部１２が二つ形成されている。スリーブ保持部１２は、ＦＯＴ４の光素子と、上記相手側光コネクタのフェルールとの位置に合わせて貫通形成されている。
【００２３】
光コネクタハウジング３の下側には、上記プリント基板の位置決め穴（図示省略）に差し込まれる位置決めピン１３が形成されている。また、光コネクタハウジング３の左右両側には、シールドケース６に対する係止部１４が形成されている。
【００２４】
ＦＯＴ４は、光素子を有するＦＯＴ本体（符号省略）と、このＦＯＴ本体からのびる複数のリードフレーム１５（回路基板接続用のピン状のリード端子）とを有している。ここでは、発光素子を有するものと、受光素子を有するものの二種類のＦＯＴ４が用いられている。尚、ＦＯＴ４は、光変換モジュール、光素子モジュールなどと呼ばれることもある。
【００２５】
スリーブ５は、ＦＯＴ４の光素子と、上記相手側光コネクタのフェルールとの間に介在する光学部品であって、ＦＯＴ４の組み付け前にスリーブ保持部１２に差し込まれて保持されるようになっている。
【００２６】
シールドケース６は、導電性を有する金属薄板をプレス加工することにより形成されている。シールドケース６は、光コネクタハウジング３の外側を覆うような形状に形成されている。シールドケース６は、ＦＯＴ４等に対し電磁的なシールドを施すことができるように形成されている。引用符号１６は上記プリント基板の固定穴（図示省略）に差し込まれる固定脚部を示している。また、引用符号１７は上記プリント基板のグランド（図示省略）に接続されるグランドピンを示している。
【００２７】
シールドケース６の後側には、ＦＯＴ収容室に向けてＦＯＴ４を押圧するための押圧部１８が形成されている。また、シールドケース６の左右両側には、光コネクタハウジング３の係止部１４に係止される係止片１９が形成されている。
【００２８】
図１ないし図４において、光コネクタ２を収納して搬送するためのコネクタ用梱包トレイ１は、平面視長方形状に形成されている（形状は一例であるものとする）。また、コネクタ用梱包トレイ１は、四つの側面がそれぞれ平坦に形成されている。このようなコネクタ用梱包トレイ１の上面２０には、トレイ長手方向に延びるとともに、下方に凹む二つのコネクタ収納部２１が平行に配置形成されている（コネクタ収納部２１の数や配置は一例であるものとする）。コネクタ収納部２１は、嵌合間口７を下方に向けて、光コネクタ２を収納することができるように形成されている。また、コネクタ収納部２１は、所定の間隔をあけて、四つの光コネクタ２を収納することができるように形成されている（収納数は一例であるものとする）。
【００２９】
コネクタ収納部２１は、収納する光コネクタ２毎に次のような部分を有している。すなわち、第一側面部２２〜第四側面部２５と、底面部２６と、リード端子収納部２７と、嵌合間口閉塞部２８とを有している。
【００３０】
第一側面部２２は、光コネクタ２の上側に対し僅かな隙間をあけて対向する平坦な面として形成されている。第二側面部２３は、二つの面を有するように形成されている。具体的には、光コネクタ２の下側に対し僅かな隙間をあけて対向する平坦な面を底面部２６から連続するように、また、光コネクタ２のリードフレーム１５、固定脚部１６、及びグランドピン１７の長さ分だけ間隔をあけて対向する平坦な面をコネクタ収納部２１の開口２９から連続するように形成されている。第三側面部２４及び第四側面部２５は、光コネクタ２の左右両側に対し僅かな隙間をあけて対向する平坦な面としてそれぞれ形成されている。底面部２６は、コネクタ収納部２１の底位置にある面として形成されている。底面部２６は、ここでは光コネクタ２の収納時にこの前側（嵌合間口７）が当接する部分としても形成されている（ストッパとして機能するように形成されている）。
【００３１】
リード端子収納部２７は、光コネクタ２のリードフレーム１５、固定脚部１６、及びグランドピン１７を収納する部分として、コネクタ収納部２１の開口２９側に配置形成されている。このようなリード端子収納部２７よりも奥側（コネクタ収納方向奥側）には、嵌合間口閉塞部２８が配置形成されている。
【００３２】
嵌合間口閉塞部２８は、底面部２６から所定の高さで突出する凸状の部分（略柱状となる部分）として形成されている。このような嵌合間口閉塞部２８は、光コネクタ２の嵌合間口７を塞ぐことができるように形成されている（言い換えれば、嵌合間口７を蓋することができるように形成されている）。嵌合間口閉塞部２８は、光コネクタ２の嵌合間口７の形状に合わせて形成されている。また、嵌合間口閉塞部２８は、光コネクタ２の嵌合空間１１に差し込むことができるように形成されている。尚、嵌合間口閉塞部２８は、光コネクタ２のスリーブ５に対し当接しないように形成されている。
【００３３】
嵌合間口閉塞部２８には、ガイド係合部３０、３１が形成されている。ガイド係合部３０は、光コネクタ２のガイド凸部８を案内しつつ係合する部分として凹状に形成されている。また、ガイド係合部３１は、光コネクタ２のガイド凹部９を案内しつつ係合する部分として凸状に形成されている。ガイド係合部３１には、光コネクタ２のロック部１０に対する逃がし部分３２が形成されている。
【００３４】
上記構成及び構造において、図１に示す如く光コネクタ２をコネクタ収納部２１の対応する位置に収納すると、図３及び図４に示す如く光コネクタ２の嵌合間口７が嵌合間口閉塞部２８により塞がれる。また、光コネクタ２のリードフレーム１５等がリード端子収納部２７に収納される。
【００３５】
以上、図１ないし図４を参照しながら説明してきたように、コネクタ用梱包トレイ１におけるコネクタ収納部２１は嵌合間口閉塞部２８を有しており、光コネクタ２を収納すると、この光コネクタ２の嵌合間口７は嵌合間口閉塞部２８により蓋される。従って、従来のような防塵キャップ（保護キャップ）を用いる必要がなく、結果、作業性の向上及び部品点数の削減を図るとともに無駄を省いてコスト削減を図ることができるという効果を奏する。
【００３６】
また、コネクタ収納部２１は、リード端子収納部２７をコネクタ収納部２１の開口２９側に配置することから、光コネクタ２の収納後におけるリードフレーム１５等の状態確認を容易に行うことができるという効果を奏する。さらに、コネクタ収納部２１は、光コネクタ２の収納時におけるリードフレーム１５等の移動距離を短くできることから、リードフレーム１５等の変形を起こり難くすることができるという効果を奏する。
【００３７】
さらにまた、嵌合間口閉塞部２８は、ガイド係合部３０、３１を有することから、光コネクタ２の収納後におけるガタ付きを防止することができるとともに、収納方向の間違いをなくすことができるという効果を奏する。
【００３８】
本発明は本発明の主旨を変えない範囲で種々変更実施可能なことは勿論である。
【符号の説明】
【００３９】
１…コネクタ用梱包トレイ
２…光コネクタ（コネクタ）
３…光コネクタハウジング（コネクタハウジング）
４…ＦＯＴ
５…スリーブ
６…シールドケース
７…嵌合間口
８…ガイド凸部
９…ガイド凹部
１０…ロック部
１１…嵌合空間
１２…スリーブ保持部
１３…位置決めピン
１４…係止部
１５…リードフレーム（リード端子）
１６…固定脚部
１７…グランドピン
１８…押圧部
１９…係止片
２０…上面
２１…コネクタ収納部
２２…第一側面部
２３…第二側面部
２４…第三側面部
２５…第四側面部
２６…底面部
２７…リード端子収納部
２８…嵌合間口閉塞部
２９…開口
３０、３１…ガイド係合部
３２…逃がし部分
【図１】
2011240944.tif 000003
【図２】
2011240944.tif 000004
【図３】
2011240944.tif 000005
【図４】
2011240944.tif 000006